(57)【要約】【課題】  本考案は、遺品処理としての観点を除外して作られた従来の布団袋やゴミ袋では、臭いの流出への対策が充分に取られていないことに対して付属の消臭液で臭いを沈静化させることと、故人の思いのこもった品をそのままゴミとして廃棄することに抵抗を感じる遺族の心のケアについての配慮不足を補うためのサービスの提供を目的とする。【解決手段】  本考案は運搬の為の袋と消臭の為の袋の二つに大別され、まず対象物たる布団を消臭の為のポリ製中袋に入れ、消臭液により消臭処理を施し、開口部を閉じて臭いの流出を防ぐ。次にこのポリ製中袋を符号１の布団袋に入れ開口部を、先ず符号２の長い紐で、次いで符号３の短い紐によって閉じることにより、袋が二重になり破損を防ぐと共に、袋の底面に設けられた符号５の持ち手により運搬の利便性を確保する。運搬されてきた布団は僧侶による供養後に処理され、遺族の心のケアにも貢献できる。【選択図】  図１
0003116177.tif 000002
【実用新案登録請求の範囲】
【請求項１】
故人が使用されていた布団を、そのままゴミとして廃棄することに抵抗を感じる遺族の為に、寺院より僧侶を迎えて供養の上で、廃棄処分するための運搬用の袋であって、半透明の袋に布団を入れた後、死臭などの悪臭を付属の消臭液を使って消臭するとともに、開口部をねじって二つ折りにして、輪ゴムで止めることにより臭いの流出を防ぐ手段を二重に講じ、また、遺族のプライバシー尊重の観点から、運搬時に中身が布団であることを見られないように配慮する為、或いは運搬中の袋の破損を避けたり、更には運搬しやすさを確保する為に持ち手用の紐が付いた、厚手の丈夫な紺色の布製布団袋に入れて運搬するようにしたことを特徴とする布団袋。
【考案の詳細な説明】
【技術分野】
【０００１】  本考案は、故人の布団を供養の上で廃棄処理する為の運搬をする際に、付属の消臭液で消臭して布団を収納する布団袋に関するものであり、特に故人の遺品処理を目的とした布団袋に関する。
【背景技術】
【０００２】  従来の布団袋は、保管や引越し・婚礼用のものであり臭いに関する対策などはなく、またゴミ袋などでも開口部を縮径もしくは接着によりとじるのみで、袋の破損による臭いの流出には対策が取られていないなどの問題がある。【０００３】  また、故人の思いのこもった品をそのままゴミとして廃棄する事は、遺族の感情への配慮が不足していると考えることも本考案の一因である。
【考案の開示】
【考案が解決しようとする課題】
【０００４】  上記のように遺品処理としての観点を除外して作られた従来の布団袋やゴミ袋は、臭いの流出に対する根本的な対策が取られていないという問題点に加え、遺品処理というある意味において特殊な状況への考慮がなされていない。つまり、故人の思いのこもった品を、そのままゴミとして廃棄することに抵抗を感じる、遺族の心のケアについての配慮不足という問題である。【０００５】  本考案はこのような問題を解決する為になされたものであり、その目的とするところは、死臭等の臭いのある布団を消臭するための消臭液を添付し、袋が破損しにくいように二重にして、更に運搬の利便性を高める手段を講じるとともに、付属サービスの合同供養の後に廃棄処理をすることで、遺族感情への配慮に貢献することにある。
【課題を解決するための手段】
【０００６】  故人が使用されていた布団を、そのままゴミとして廃棄することに抵抗を感じる遺族の為に、寺院より僧侶を迎えて供養の上で、廃棄処分するための運搬用の袋であって、半透明のポリ製中袋に布団を入れ、付属の消臭液を使って消臭するとともに、開口部をねじって二つ折りにして輪ゴムで止め、遺族のプライバシー尊重の観点から中身が見えないように、或いは袋の破損を避けつつ運搬しやすさを確保する為に、運搬用の持ち手紐の付いた、厚手の丈夫な紺色の布製布団袋に入れて運搬するようにしたものである。
【考案の効果】
【０００７】  遺品処理を専門とする当社が、全国の葬儀社と連携することにより、遺族の抱える困難な状況を一つでも多く解決することが、本考案の最大の効果として考えられる。具体的には、故人の布団をただのゴミとして処理することに抵抗を感じる遺族感情に配慮する為に、寺院より僧侶を迎えて祭壇にて合同供養するサービスを、無償で付属させることにより、安心を提供することができる。また運搬時等の臭いの流出による不快感を除去する為に、消臭液を添付することも本考案の効果として重要である。
【考案を実施するための最良の形態】
【０００８】  本考案の布団袋は、半透明のポリ製中袋に枕や三つ折りの布団を入れ、消臭液の入った容器の蓋を開け、布団・枕等に消臭液をたらし、半透明のポリ製中袋の開口部をねじって縮径させて二つに折り、その二つ折りにした部分を輪ゴムでしっかりと止め、運搬用の持ち手紐の付いた厚手の布製布団袋に入れる。付属の布製手提げ袋には遺品（写真や香典袋）を入れ、布団を入れた布製布団袋に同梱する。布製布団袋を紐で結んでとじ、添付の申込書に記入捺印し、布製布団袋側面の差し込み口に挿入し、集荷受付へ連絡するものとする。
【実施例】
【０００９】  以下、添付図面に従って本考案の一実施例を説明する。図１（ａ）は配布時に折りたたまれている布製布団袋の上端を持って大きく開いた状態の斜視図で、図１（ｂ）は図１（ａ）の図では見ることができない底面図である。図１（ａ）符号１は布製布団袋本体、図１（ａ）符号２は布団袋の口を最初に縛る為の長い紐、図１（ａ）符号３は図１（ａ）符号２の次に縛る為の短い紐、図１（ａ）符号４は申込書を差し込む為の、透明なビニール製のポケット状になっている申込書差し込み口で、図１（ａ）符号５は梱包終了後に持ち運ぶ為の持ち手用の紐である。【００１０】  図２は図３の（ａ）・（ｂ）・図４・図５及び図１の布団袋を販売用にセットして入れるための手提げ袋の正面図であり、図２符号６は手提げ袋の本体で、図２符号７は手提げ袋の持ち手用の紐部分、図２符合８は開口部ジッパーである。図３（ａ）符号９は半透明のポリ製中袋の正面図であり、図４は図３（ｂ）及び図５を入れる密閉チャック付の透明なポリ袋であり、図４符号１１はポリ袋の本体、図４符号１２はポリ袋の密閉チャック部分である。図５は消臭液を入れるためのプラスチック容器で、市販のお弁当などでソースやタレの入った容器と同様のものであり、図５符号１３はプラスチック容器の本体部分で、図５符号１４は容器の蓋部分である。図３（ｂ）符号１０は図３（ａ）符号９の半透明のポリ製中袋に布団を入れ、図５符号１３のプラスチック容器の中に入っている消臭液を振り掛けた後で、図３（ａ）符号９の半透明のポリ製中袋を縮径し二つ折りにした開口部を閉じるための輪ゴムである。【００１１】  販売用にセットされている、図２符合６の手提げ袋の上端にある、図２符合８の開口部ジッパーを開けて、その中に折り畳まれて入っている図１符合１の布製布団袋と、同じく折り畳まれて入っている図３（ａ）符号９のポリ製中袋、図３（ｂ）符号１０の輪ゴムと図５符合１３のプラスチック容器が入っている図４符合１１の密閉チャック付の透明なポリ袋、申込書を取り出す。次に図４符合１２の密閉チャックを開けて中から図５符合１３の消臭液が入ったプラスチック容器と図３（ｂ）符号１０の輪ゴムを取り出す。これで布団を布団袋に入れるための準備が完了となる。【００１２】  枕や三つ折りにした布団を、図３（ａ）符号９のポリ製中袋を大きく広げてから入れ、図５符号１４のプラスチック容器の蓋を開け、図５符号１３のプラスチック容器本体の中に入っている消臭液をふりかけた後、図３（ａ）符号９のポリ製中袋の開口部を空気を抜きながらねじって二つに折り、その二つ折りにした部分を図３（ｂ）符号１０の輪ゴムでとじる。口を閉じた図３（ａ）符号９のポリ製中袋を図１（ａ）符号１の大きく広げた布製布団袋の中に入れる。次いで図２符号６の布製手提げ袋に危険物・不燃物を除く遺品を入れ、それを図１（ａ）符号１の布製布団袋の中に入っている、布団入りの図３（ａ）符号９のポリ製中袋の上に置くように入れる。ここで言う危険物・不燃物に該当するものは、故人のライター・カメラ・時計などのことであり、逆に入れても良いものとは写真や香典袋など可燃物のことである。【００１３】  図１（ａ）符号１の布製布団袋の開口部をとじるには、まず図１（ａ）��号１の布製布団袋本体の側面にある図１（ａ）符号２の長い紐をしっかりと結び、その次に図１（ａ）符号１の布製布団袋本体の正面と背面に各２本ある図１（ａ）符号３の短い紐の、各々正面の紐と背面の紐を１組ずつ使いしっかりと結んでとじる。販売時に図２符合６の布製手提げ袋の中に添付されている申込書に記入捺印し、図１（ａ）符号１の布製布団袋の正面にある図１（ａ）符号４の透明なポケット状の申込書差し込み口に挿入し、集荷受付に電話をして回収希望日を伝える。【００１４】  回収希望の連絡を受けた場合、直ちに契約している佐川急便に当社より連絡し、全国の佐川急便のドライバーが、回収希望日にご依頼者のお宅に伺い、お布団が入って荷造りが完了した状態の、図１（ａ）符号１の布製布団袋をお預かりして当社へ運搬し、運搬されてきた布団が一定量に達した後に、寺院の僧侶に連絡して来社頂き、読経による供養をした後に廃棄物として処理施設にて処理する。処理終了後、回向書という供養証明書をご依頼者にお送りして完了となる。【００１５】  上記の実施例について補足説明用の資料として、別紙添付したチラシのコピーも参照頂きたい。
【図面の簡単な説明】
【００１６】
【図１】（ａ）本考案の一実施例を示す布製布団袋の斜視図  （ｂ）本考案の一実施例を示す布製布団袋の底面図
【図２】布団袋の販売セットを入れる布製手提げ袋の正面図
【図３】（ａ）図１の布団袋の中袋になる半透明ポリ袋の正面図  （ｂ）（ａ）の中袋の口を閉じる輪ゴムの正面図
【図４】消臭液の容器を入れる透明のジッパー付ポリ袋の正面図
【図５】消臭液を入れるプラスチック容器の斜視図
【符号の説明】
【００１７】１    布団袋本体
２    布団袋の開口部を閉じる為の長い紐
３    布団袋の開口部を閉じる為の短い紐
４    申込書差し込み口
５    布団袋の持ち手用紐
６    ジッパー付き手提げ袋
７    手提げ袋の持ち手用紐
８    手提げ袋の開口部ジッパー
９    半透明のポリ製中袋
１０  輪ゴム
１１  密閉チャック付の透明なポリ袋
１２  密閉チャック部分
１３  消臭液用プラスチック容器
１４  消臭液用プラスチック容器蓋部分
【図１】
0003116177.tif 000003
【図２】
0003116177.tif 000004
【図３】
0003116177.tif 000005
【図４】
0003116177.tif 000006
【図５】
0003116177.tif 000007